(57)【要約】【課題】  面白味や娯楽性が高く、ユーザの好みや車内の雰囲気に応じた画像を表示できるとともに、アプリケーションの機能の妨げとならない表示処理技術すなわち表示処理装置及び表示処理方法並びに表示処理用プログラムを提供する。【解決手段】  複数のアプリケーションプログラムを切り替えて実行可能なコンピュータが、各アプリケーションプログラムに関連付けた複数の背景画像を、ＨＤＤ等に記憶しておき、実行するアプリケーションプログラムを判定して、これに対応する背景画像を背景とするアプリケーション画像を生成し、ディスプレイ６に表示させる。あらかじめ設定された時間間隔で、複数の背景画像を切り替えて表示させる。【選択図】  図１
2005128793.tif 000002
【特許請求の範囲】
【請求項１】
複数のアプリケーションプログラムを切り替えて実行可能なコンピュータ又は電子回路が、各アプリケーションプログラムに対応したアプリケーション画像を記憶するアプリケーション画像記憶部と、実行するアプリケーションプログラムに応じたアプリケーション画像を表示する表示装置とを有する表示処理装置において、
前記アプリケーションプログラムに関連付けた単数若しくは複数の背景画像を記憶する背景画像記憶部と、
実行するアプリケーションプログラムを識別するアプリケーション識別部と、
前記アプリケーション識別部による識別結果に基づいて、実行するアプリケーションプログラムに応じた背景画像を背景とする画像を生成する表示画像生成部と、
を有することを特徴とする表示処理装置。
【請求項２】
各アプリケーションプログラムに関連付けられた背景画像は複数であり、
所定時間毎に背景画像のみを切り替える背景画像切替部を有することを特徴とする請求項１記載の表示処理装置。
【請求項３】
前記所定時間を入力する入力部と、
前記入力部によって入力された時間を記憶する設定記憶部と、
を有することを特徴とする請求項１又は請求項２記載の表示処理装置。
【請求項４】
複数のアプリケーションプログラムを切り替えて実行可能なコンピュータ又は電子回路が、各アプリケーションプログラムに対応したアプリケーション画像を記憶するアプリケーション画像記憶部と、実行するアプリケーションプログラムに応じたアプリケーション画像を表示する表示装置とを有する表示処理装置において、
前記アプリケーション画像とともに前記表示装置に表示される背景画像を記憶する背景画像記憶部と、
画像の切り替え時に、前記背景画像にのみ、モーフィング処理を行うモーフィング処理部を有することを特徴とする表示処理装置。
【請求項５】
コンピュータ又は電子回路が、複数のアプリケーションプログラムに対応したアプリケーション画像を記憶するステップと、各アプリケーションプログラムを切り替えて実行するステップと、実行するアプリケーションプログラムに応じたアプリケーション画像を表示装置に表示するステップとを有する表示処理方法において、
前記アプリケーションプログラムに関連付けた単数若しくは複数の背景画像を記憶するステップと、
実行するアプリケーションプログラムを識別するステップと、
前記識別結果に基づいて、前記表示装置に表示させる画像として、実行するアプリケーションプログラムに応じた背景画像を背景とする画像を生成するステップと、
を有することを特徴とする表示処理方法。
【請求項６】
各アプリケーションプログラムに関連付けられた背景画像は複数であり、
前記コンピュータ又は電子回路が、
所定時間毎に背景画像のみを切り替えるステップを含むことを特徴とする請求項５記載の表示処理方法。
【請求項７】
前記コンピュータ又は電子回路が、
前記所定時間を入力するステップと、
前記入力部によって入力された時間を記憶するステップと、
を含むことを特徴とする請求項５又は請求項６記載の表示処理方法。
【請求項８】
コンピュータ又は電子回路が、複数のアプリケーションプログラムに対応したアプリケーション画像を記憶するステップと、各アプリケーションプログラムを切り替えて実行するステップと、実行するアプリケーションプログラムに応じたアプリケーション画像を表示装置に表示するステップとを有する表示処理方法において、
前記コンピュータ又は電子回路が、
前記アプリケーション画像とともに前記表示装置に表示される背景画像を記憶するステップと、
画像の切り替え時に、前記背景画像にのみ、モーフィング処理を行うステップと、
を有することを特徴とする表示処理方法。
【請求項９】
コンピュータを制御することにより、複数のアプリケーションプログラムに対応したアプリケーション画像を記憶させ、各アプリケーションプログラムを切り替えて実行させ、実行するアプリケーションプログラムに応じたアプリケーション画像をディスプレイに表示させる表示処理用プログラムにおいて、
前記コンピュータに、
前記アプリケーションプログラムに関連付けた単数若しくは複数の背景画像を記憶させ、
実行するアプリケーションプログラムを識別させ、
前記識別結果に基づいて、前記ディスプレイに表示させる画像として、実行するアプリケーションプログラムに応じた背景画像を背景とする画像を生成させることを特徴とする表示処理用プログラム。
【請求項１０】
各アプリケーションプログラムに関連付けられた背景画像は複数であり、
前記コンピュータに、所定時間毎に背景画像のみを切り替えさせることを特徴とする請求項９記載の表示処理用プログラム。
【請求項１１】
前記コンピュータに、
前記所定時間を入力させ、
前記入力部によって入力された時間を記憶させることを特徴とする請求項９又は請求項１０記載の表示処理用プログラム。
【請求項１２】
コンピュータを制御することにより、複数のアプリケーションプログラムに対応したアプリケーション画像を記憶させ、各アプリケーションプログラムを切り替えて実行させ、実行するアプリケーションプログラムに応じたアプリケーション画像をディスプレイに表示させる表示処理用プログラムにおいて、
前記コンピュータに、
前記アプリケーション画像とともに前記表示装置に表示される背景画像を記憶させ、
画像の切り替え時に、前記背景画像にのみ、モーフィング処理を行わせることを特徴とする表示処理用プログラム。
【発明の詳細な説明】
【技術分野】
【０００１】
本発明は、例えば、車載用の電子機器の表示装置における表示処理に改良を施した表示処理装置及び表示処理方法並びに表示処理用プログラムに関する。
【背景技術】
【０００２】
近年、車載用の電子機器は多機能化が進んでおり、その利用可能な記録媒体が、ＣＤやＭＤ等の音響用ばかりでなく、ＤＶＤ、ＣＤ−ＲＯＭといった映像用のものにまで広がっている。これと同時に、従来の機能表示のみのディスプレイ（表示装置）ではなく、ＴＶやＤＶＤの映像が表示できるように、比較的大型のディスプレイを備えた車載用電子機器が一般的になりつつある。
【０００３】
そして、かかる多機能型の電子機器は、それぞれの機能を専用の電子回路によって実現するものから、パーソナルコンピュータと同様の基本構成を備え、あらかじめインストールされた複数のアプリケーションプログラム（以下、単にアプリケーションと言う）を、ＯＳ上で切り替えて使用できる汎用的なものに移行しつつある。このため、例えば、電子メールソフトによる電子メール機能や、ブラウザによるＷｅｂページの閲覧機能等も備えた機器が開発されており、ユーザの選択操作に応じて、各アプリケーションに応じた画像が、ディスプレイに表示されるように構成されている。
【０００４】
このような車載用電子機器における表示処理及びそのためのハードウェアは、パーソナルコンピュータと同様に、ＣＰＵによって読み込まれた画像データが、グラフィックカードのビデオメモリ(ＶＲＡＭ)の中に、１画素ごとのＲＧＢデータとして描画され、ディスプレイコントローラが、ＶＲＡＭからＲＧＢデータを１画素分ずつ読み出し、読み出されたＲＧＢデータがディスプレイに送られ（ディスプレイに応じてＡ／Ｄ変換され）、画像が表示されるというものになっている。
【０００５】
【特許文献１】特開平８−２２２７４号公報
【特許文献２】特許第３４４２３６６号公報
【発明の開示】
【発明が解決しようとする課題】
【０００６】
ところで、上記のように汎用的になりつつある車載用電子機器においては、各製品において利用できるアプリケーションやインタフェースは比較的共通するものが多い。従って、ユーザが製品を選択する判断基準として、アプリケーションの数の多寡や単なる利便性のみに着目することは少なくなっており、個々のユーザが自分の好みに応じていかに面白味が得られるか、車内環境に合わせた雰囲気が得られるか等が重要となっている。
【０００７】
しかしながら、従来の車載用の表示処理装置においては、アプリケーションに関する画面を表示する際に、ディスプレイの画面全体を使用している。従って、ブラウザ、電子メール及び表示処理等を切り替えて使用する場合には、前のアプリケーション用の画像から新しく起動したアプリケーション用の画像へ、紙芝居のようにダイナミックに切り替わるだけであり、単調で退屈なため、面白味や娯楽性に乏しかった。また、かかる切り替え表示では、ユーザの好みに応じた画像表示を提供する余地がなく、高級感のある室内でありながら、安っぽい印象を受ける等、車内の雰囲気作りにも支障があった。
【０００８】
このような表示処理において、従来から、画像に面白味を与える技術が種々開発されている。例えば、モーフィング処理は、画像を切り替える際に、最初に表示されている画面を徐々に消していき、次に表示する画像を徐々にはっきりさせていくことにより、最初の画像から次の画像へと滑らかに変化していくように表示するものである。しかしながら、車載用の小さなディスプレイにおいて、全画面表示された電子メールやブラウザ等の画面をモーフィング処理等によって変化させることは、必要な情報の読み取りの妨げになり、好ましくない。
【０００９】
本発明は、上記のような従来技術の問題点を解決するもので、その目的は、面白味や娯楽性が高く、ユーザの好みや車内の雰囲気に応じた画像を表示できるとともに、アプリケーションの機能の妨げとならない表示処理技術すなわち表示処理装置及び表示処理方法並びに表示処理用プログラムを提供することにある。
【課題を解決するための手段】
【００１０】
上記の目的を達成するため、請求項１の発明は、複数のアプリケーションプログラムを切り替えて実行可能なコンピュータ又は電子回路が、各アプリケーションプログラムに対応したアプリケーション画像を記憶するアプリケーション画像記憶部と、前記アプリケーション画像に基づいて、実行するアプリケーションプログラムに応じた画像を表示する表示装置とを有する表示処理装置において、前記アプリケーションプログラムに関連付けた単数若しくは複数の背景画像を記憶する背景画像記憶部と、実行するアプリケーションプログラムを識別するアプリケーション識別部と、前記アプリケーション識別部による識別結果に基づいて、実行するアプリケーションプログラムに応じた背景画像を背景とするアプリケーション画像を生成する表示画像生成部と、を有することを特徴とする。
【００１１】
請求項５の発明は、請求項１の発明を方法の観点から捉えたものであり、コンピュータ又は電子回路が、複数のアプリケーションプログラムに対応したアプリケーション画像を記憶するステップと、各アプリケーションプログラムを切り替えて実行するステップと、実行するアプリケーションプログラムに応じたアプリケーション画像を表示装置に表示するステップとを有する表示処理方法において、前記アプリケーションプログラムに関連付けた単数若しくは複数の背景画像を記憶するステップと、実行するアプリケーションプログラムを識別するステップと、前記識別結果に基づいて、前記表示装置に表示させる画像として、実行するアプリケーションプログラムに応じた背景画像を背景とする画像を生成するステップと、を有することを特徴とする。
【００１２】
請求項９記載の発明は、請求項１及び５の発明をコンピュータプログラムの観点から捉えたものであり、コンピュータを制御することにより、複数のアプリケーションプログラムに対応したアプリケーション画像を記憶させ、各アプリケーションプログラムを切り替えて実行させ、実行するアプリケーションプログラムに応じたアプリケーション画像をディスプレイに表示させる表示処理用プログラムにおいて、前記コンピュータに、前記アプリケーションプログラムに関連付けた単数若しくは複数の背景画像を記憶させ、実行するアプリケーションプログラムを識別させ、前記識別結果に基づいて、前記ディスプレイに表示させる画像として、実行するアプリケーションプログラムに応じた背景画像を背景とする画像を生成させることを特徴とする。
【００１３】
以上のような請求項１、５及び９の発明では、実行するアプリケーションプログラムの切り替えに応じて、当該アプリケーション用の画像とともに、これに応じた背景画像が表示されるので、面白味や娯楽性が高まり、ユーザの好みに応じた表示や車内の雰囲気作りに役立つ。
【００１４】
請求項２の発明は、請求項１の表示処理装置において、各アプリケーションプログラムに関連付けられた背景画像は複数であり、所定時間毎に背景画像のみを切り替える背景画像切替部を有することを特徴とする。
請求項６の発明は、請求項２の発明を方法の観点から捉えたものであり、請求項５の表示処理方法において、各アプリケーションプログラムに関連付けられた背景画像は複数であり、前記コンピュータ又は電子回路が、所定時間毎に背景画像のみを切り替えるステップを含むことを特徴とする。
請求項１０の発明は、請求項２及び６の発明をコンピュータプログラムの観点から捉えたものであり、請求項９の表示処理用プログラムにおいて、各アプリケーションプログラムに関連付けられた背景画像は複数であり、前記コンピュータに、所定時間毎に背景画像のみを切り替えさせることを特徴とする。
以上のような請求項２、６及び１０の発明では、各アプリケーションプログラムの実行時に、複数の背景画像が切り替わるので、より一層面白味や娯楽性が得られる。また、切り替わるのは背景画像のみなので、アプリケーションプログラムの機能の妨げにならない。
【００１５】
請求項３の発明は、請求項１又は請求項２の表示処理装置において、前記所定時間を入力する入力部と、前記入力部によって入力された時間を記憶する設定記憶部と、を有することを特徴とする。
請求項７の発明は、請求項３の発明を方法の観点から捉えたものであり、請求項５又は請求項６の表示処理方法において、前記コンピュータ又は電子回路が、前記所定時間を入力するステップと、前記入力部によって入力された時間を記憶するステップと、を含むことを特徴とする。
請求項１１の発明は、請求項３及び７の発明をコンピュータプログラムの観点から捉えたものであり、請求項９又は請求項１０の表示処理用プログラムにおいて、前記コンピュータに、前記所定時間を入力させ、前記入力部によって入力された時間を記憶させることを特徴とする。
以上のような請求項３、７及び１１の発明では、ユーザの所望の時間間隔で、背景画像を切り替えることができるので、ユーザの好みに応じた表示が可能となる。
【００１６】
請求項４の発明は、複数のアプリケーションプログラムを切り替えて実行可能なコンピュータ又は電子回路が、各アプリケーションプログラムに対応したアプリケーション画像を記憶するアプリケーション画像記憶部と、実行するアプリケーションプログラムに応じたアプリケーション画像を表示する表示装置とを有する表示処理装置において、前記アプリケーション画像とともに前記表示装置に表示される背景画像を記憶する背景画像記憶部と、画像の切り替え時に、前記背景画像にのみ、モーフィング処理を行うモーフィング処理部を有することを特徴とする。
請求項８の発明は、コンピュータ又は電子回路が、複数のアプリケーションプログラムに対応したアプリケーション画像を記憶するステップと、各アプリケーションプログラムを切り替えて実行するステップと、実行するアプリケーションプログラムに応じたアプリケーション画像を表示装置に表示するステップとを有する表示処理方法において、前記コンピュータ又は電子回路が、前記アプリケーション画像とともに前記表示装置に表示される背景画像を記憶するステップと、画像の切り替え時に、前記背景画像にのみ、モーフィング処理を行うステップと、を有することを特徴とする。
請求項１２の発明は、コンピュータを制御することにより、複数のアプリケーションプログラムに対応したアプリケーション画像を記憶させ、各アプリケーションプログラムを切り替えて実行させ、実行するアプリケーションプログラムに応じたアプリケーション画像をディスプレイに表示させる表示処理用プログラムにおいて、前記コンピュータに、前記アプリケーション画像とともに前記表示装置に表示される背景画像を記憶させ、画像の切り替え時に、前記背景画像にのみ、モーフィング処理を行わせることを特徴とする。
以上のような請求項４、８及び１２の発明では、背景画像切り替え時にモーフィング処理を行うことにより、より一層面白味や娯楽性が得られる。また、モーフィング処理は、背景画像のみで、アプリケーションプログラム用の画像の切り替えは通常通り、即座に行うことができるので、モーフィングの画像がアプリケーションプログラムの機能の妨げにならない。
【発明の効果】
【００１７】
以上のような本発明によれば、面白味や娯楽性が高く、ユーザの好みや車内の雰囲気に応じた画像を表示できるとともに、アプリケーションの機能の妨げとならない表示処理技術すなわち表示処理装置及び表示処理方法並びに表示処理用プログラムを提供することができる。
【発明を実施するための最良の形態】
【００１８】
次に、本発明を実施するための最良の形態（以下「実施形態」と呼ぶ）について図面を参照して具体的に説明する。なお、本実施形態は、周辺装置を備えたコンピュータをプログラムで制御することで実現できるが、この場合のハードウェアやプログラムの実現態様は各種変更可能である。また、本発明は、表示処理装置及び方法に加え、上記のようなプログラム、そのようなプログラムを記録したコンピュータ読取可能な記憶媒体としても把握できる。したがって、以下の説明では、本発明及び本実施形態の各機能を実現する仮想的回路ブロックを用いる。
【００１９】
［構成］
［全体構成］
まず、本実施形態における表示処理装置（以下「本装置」と呼ぶ）は、概略としては、あらかじめインストールされたアプリケーションプログラム用の画像（アプリケーション画像）の背景として、そのアプリケーションに応じた背景画像を表示するものであり、この背景画像のみを種々の態様で切り替えることにより、面白味や娯楽性とアプリケーション機能の確保の両立を図ったものであり、図１の機能ブロック図に示す下記の各要素を備えている。
【００２０】
すなわち、イルミ検出部１は、本装置が搭載された自動車（自車と呼ぶ）のイルミネーションランプのスイッチに接続され、そのＯＮ・ＯＦＦを検出する手段である。外部データ取得装置２は、記録媒体から画像データを取得する手段であり、例えば、ディスクドライブ（ＣＤ−ＲＯＭ、ＤＶＤ−ＲＯＭ等）、フラッシュメモリ用のリーダライタ（スマートメディア、コンパクトフラッシュ（登録商標）、マイクロドライブ、メモリステック、ＳＤカード、マルチメディアカード）等が考えられる。メインＣＰＵ及びその周辺回路３は、本装置全体を制御する制御回路の役割を果たす部分である。
【００２１】
また、ＨＤＤ制御部４は、ハードディスク（大容量記憶装置）に記録されたＯＳ、アプリケーションプログラム（アプリケーション画像を含む）、背景画像などの各種データを読み出す手段である。本装置においては、各アプリケーションプログラムに、それぞれ複数の背景画像が関連付けて格納されている。なお、アプリケーションプログラムや背景画像は、デフォルトであらかじめ記録されているものの他、上記の外部データ取得装置２から入力することができる。つまり、ユーザがＣＤ−ＲＯＭから所望のアプリケーションをインストールすることもできるし、パーソナルコンピュータにおいて作成・入手（通信ネットワーク経由等）・加工等した画像データ、デジタルカメラで撮影した画像データを、フラッシュメモリに記憶させ、これを背景画像として利用することができる。このように背景画像を登録する際に、後述するように、メニュー表示やリスト表示を行うことにより、アプリケーションを選択したり、複数の背景画像の表示順序を選択したり、切替時間を入力できるインタフェースを用意してもよい。
【００２２】
ＳＤＲＡＭ５は、本装置の実行に必要なプログラムをロードするためのシンクロナスダイナミックＲＡＭである。従って、ＯＳ及び必要なアプリケーションプログラム（アプリケーション画像を含む）は、ＳＲＡＭ５にロードされ、メインＣＰＵ及びその周辺回路３において解釈実行される。ディスプレイ６は、アプリケーション画像や背景画像など各種の情報を表示する装置であり、液晶、有機ＥＬ等の表示装置を利用することができる。入力部７は、ユーザがスイッチなどから命令などの情報を入力するための部分であり、タッチセンサ機能、リモコンユニット、赤外線送受信ユニットなどを備えるが、タッチパネルとしてディスプレイ６と一体に構成することが望ましい。ＶＲＡＭ８は、ディスプレイ６に表示される画像データがメインＣＰＵ及びその周辺回路３によって描画されるビデオＲＡＭである。
【００２３】
［メインＣＰＵ及びその周辺回路］
さらに、メインＣＰＵ及びその周辺回路３は、上記のようなプログラムの作用によって、図１に示す下記の各部分としての役割を実現するように構成されている。すなわち、アプリケーション識別部３１は、実行されるアプリケーションを判定する手段である。画像取得部３２は、表示されるアプリケーション画像及びこれに関連付けられた背景画像を取得する手段である。画像生成部３３は、画像取得部３２において取得された背景画像を背景とするアプリケーション画像を生成し、出力する手段である。出力されるデータは、上述のＶＲＡＭ８に描画されるが、この描画処理の手順は、特定のものには限定されない。例えば、背景画像を描画した後、アプリケーション用の表示領域に、アプリケーション画像を描画するように処理してもよいし、背景画像とアプリケーション画像とが合成された画像を逐次描画するように処理してもよい。設定記憶部３４は、背景画像を切り替えるタイミングを決定する設定時間を記憶する手段である。この設定時間は、ユーザが入力部７から所望の値を入力することができる。
【００２４】
背景画像切替部３５は、各アプリケーションに対応した複数の背景画像の切替タイミングに従って、背景画像の切り替え指示を出力する手段である。モーフィング処理部３６は、イルミ検出部１によってイルミネーションランプのＯＦＦが検出される場合に、背景画像の切り替えにモーフィング処理を施す手段である。このモーフィング処理は、一般的には、あらかじめ対応付けられた制御点を徐々に変位させるとともに、画像の明るさ、色調、図柄等を徐々に切り替えることによって実現されるが、その具体的な手法は現在又は将来において実現可能なあらゆるものを適用可能である。また、背景画像に対する処理であるため、必ずしも厳密なモーフィングが要求されるわけではなく、一部の処理を省略する等により処理の高速化、処理負担の軽減を図ってもよい。
【００２５】
［作用］
以上のような本実施形態による表示処理の一例を、図２〜４のフローチャートを参照して説明する。なお、以下の処理では、ユーザによる選択、入力操作等は、入力部７を介して行われ、メニュー表示、リスト表示、アプリケーション画像表示及び背景画像表示等は、ディスプレイ６の表示画面になされる。
【００２６】
［背景画像登録処理］
まず、背景画像の登録処理を、図２のフローチャートを参照して説明する。すなわち、メニュー表示等に従って、ユーザにより、アプリケーションに対応する背景画像の登録要求が入力されると（ステップ２０１）、利用可能なアプリケーションのリストが表示される（ステップ２０２）。このリストの中から、ユーザにより、背景画像を登録するアプリケーションが選択されると（ステップ２０３）、ユーザがあらかじめ用意した背景画像用のデータが存在するかが判定される（ステップ２０４）。
【００２７】
画像データが、例えば、外部データ取得装置２に挿入されたＣＤ−ＲＯＭやフラッシュメモリ等のように、装置外部に存在する場合には（ステップ２０５）、そのリストが取得され、表示される（ステップ２０９）。画像データが、例えば、ハードディスク等のように、装置内部に存在する場合には（ステップ２０６）、そのリストが取得され、表示される（ステップ２０９）。ユーザが用意した画像データが存在しない場合には（ステップ２０７）、デフォルトで登録された背景画像のリストが取得され、表示される（ステップ２０９）。
【００２８】
ユーザは、表示されたリストの中から、当該アプリケーションに対応する背景画像を、一つ若しくは複数選択する（ステップ２１０）。なお、複数選択した場合には（ステップ２１１）、その表示順も選択入力する（ステップ２１２）。この表示順の選択は、各背景画像について、表示順を明示して入力するようにしてもよい。選択した順番が自動的に表示順となるようにしてもよい。さらに、複数選択した場合には、所望の切り替え時間も入力する（ステップ２１３）。この入力は、ラジオボタン等により示された時間のいずれかを選択するようにしても、具体的な数値を入力するようにしてもよい。以上の処理を、所望のアプリケーションについて全て行った後（ステップ２１４，２０２〜２１３）、登録処理を終了する。
【００２９】
［アプリケーション画像表示処理］
以上のように登録された背景画像を、アプリケーションに応じて表示する処理を、図３のフローチャートを参照して説明する。すなわち、ユーザが所望のアプリケーションのアイコンを選択する等の操作を行うと、選択されたアプリケーションが起動する（ステップ３０１）。すると、アプリケーション識別部３１によって、そのアプリケーションが識別され、そのアプリケーション画像とともに、これに関連付けられた背景画像が画像取得部３２により取得される（ステップ３０２）。そして、取得された背景画像を背景とするアプリケーション画像が、画像生成部３３によって生成され（ステップ３０３）、ＶＲＡＭ８に描画されるので、ディスプレイ６に表示される（ステップ３０４）。
【００３０】
登録された背景画像が単数の場合には（ステップ３０５）、同じ背景画像を背景とするアプリケーション画像が表示され続ける（ステップ３０６，３１０）。登録された背景画像が複数あり（ステップ３０５）、メインＣＰＵ及びその周辺回路３が備えるタイマにより計測される時間が、設定記憶部３４に設定された時間だけ経過した場合には（ステップ３０７）、背景画像切替部３５が、次の順位の背景画像への切り替えを指示するので、これに応じた画像が取得生成されて表示される（ステップ３０８〜３１０）。その他のアプリケーションの起動が指示入力された場合にも（ステップ３０９）、新たに起動するアプリケーションに対応する画像が、上記と同様に表示される（ステップ３０１〜３１０）。以上の処理を、ユーザがアプリケーションの終了を入力するまで行う（ステップ３１０）。
【００３１】
［モーフィング表示処理］
また、背景画像を切り替える際に、モーフィングを行う場合の処理を、図４のフローチャートを参照して説明する。すなわち、上記の処理において、設定時間に応じた背景画像の切り替えが行われる場合、若しくは新たに起動されるアプリケーションに対応する背景画像への切り替えが行われる場合に（ステップ４０１）、画像取得部３２により次に表示される背景画像が取得される（ステップ４０２）。そして、イルミ検出部１によって、イルミネーションランプの状態が検出され（ステップ４０３）、イルミネーションがＯＮの場合には、モーフィング処理部３６によるモーフィングは行われず、次の背景画像が描画・表示される（ステップ４０５）。このような背景画像の表示とともに、画像取得部３２によりアプリケーション画像が取得され（ステップ４０６）、アプリケーション用の領域にアプリケーション画像の描画・表示が行われる（ステップ４０７）。これにより、アプリケーションの切り替えとともに、背景画像の切り替えが行われる。
【００３２】
一方、イルミネーションがＯＦＦの場合には（ステップ４０３）、新たに取得した背景画像と現在の背景画像に基づいて、モーフィング処理部３６によるモーフィング処理が行われ（ステップ４０４）、生成される背景画像が順次描画・表示される（ステップ４０５）。このような背景画像のモーフィング処理とともに、画像取得部３２によりアプリケーション画像が取得され（ステップ４０６）、アプリケーション用の領域にアプリケーション画像の描画・表示が行われる（ステップ４０７）。これにより、アプリケーションの切り替えとともに、モーフィング処理された背景画像が表示される。他のアプリケーションの起動が指示された場合には（ステップ４０８）、ステップ４０１以降の処理が繰り返され、アプリケーションの終了により、表示処理が終了する（ステップ４０９）。
【００３３】
このようなアプリケーションの切り替えに対応した背景画像のモーフィングの表示画面例を、図５〜９に示す。すなわち、アプリケーション用の画像は、例えば、図５に示すように、電子メールソフトの表示画面から、図６に示すように、メニュー表示画面に即座に切り替わる。一方、背景画像は、図６〜９に示すように、徐々に移り変わるように変化する。
【００３４】
［効果］
以上のように、本実施形態によれば、アプリケーションに応じた背景画像を用意し、その背景画像が各アプリケーションに割り付けられるので、アプリケーションを全画面表示する場合に比べて、面白味や娯楽性を増すことができる。また、ユーザによってあらかじめ登録された所望の背景画像を表示させることができるので、ユーザの好みに応じたカスタマイズが可能となるとともに、車内の雰囲気に応じた表示が可能となる。また、アプリケーションごとに登録された複数の背景画像を、ユーザが設定した所望の時間間隔で切り替えて表示するので、長時間使用しても飽きのこない画面を提示できる。
【００３５】
さらに、背景画像のみ変化させるので、電子メールやブラウザ等のアプリケーション画像の妨げになることなく、視認性を損なうことが防止される。特に、モーフィング処理を行うことにより、背景画像の変化の楽しさを提供することができるが、これも、背景画像にのみ行うことにより、アプリケーション画像の妨げとならない。また、夜間等、イルミネーションがＯＮの時（車内が暗い時）には、走行中のドライバー等が画像の変化に注意を奪われないように、モーフィング処理を行わないので、安全性が向上する。
【００３６】
［他の実施形態］
なお、本発明は上記実施形態に限定されるものではなく、以下に例示するような他の実施形態も含むものである。例えば、背景画像、アプリケーション画像等の画像データの形式は問わない。また、背景画像は静止画には限定されず、アニメーション画像を含んでいてもよい。背景画像とアプリケーションとの関連付け及び識別も、例えば、拡張子やファイル名等を対応づける等、種々の方法が考えられるが、特定のものには限定されない。背景画像の表示順位付けも、例えば、リスト構造にする等、種々の方法が考えられるが、特定のものには限定されない。また、利用可能なアプリケーションは、上記の実施形態で例示したものには限定されない。本発明におけるアプリケーションプログラムは、ＯＳ上で起動されるあらゆるプログラムを包含するものであり、その規模の大小を問わない。従って、上記例で示したように、単なるアイコン表示やメニュー表示等のためのプログラムもここでいうアプリケーションプログラムに含まれる。ＣＤプレーヤ、ＭＤプレーヤ、ＤＶＤプレーヤ、ラジオ、電話、キーボード等の操作ボタン表示等も、アプリケーションプログラムに含まれる。その表示レイアウトに関しても、上記の例には限定されない。
【００３７】
また、登録する背景画像やアプリケーションプログラムの入手方法も、上記の実施形態で例示したものには限定されない。例えば、装置自体が通信ネットワークを介してダウンロードしたものであってもよい。使用されるメモリ等の記憶領域、種々の記録媒体も、上記の実施形態で例示したものには限定されない。なお、本発明は、車載用には限定されず、他の移動手段や携帯用の表示処理にも適用可能である。
【図面の簡単な説明】
【００３８】
【図１】本発明の実施形態の構成を示す機能ブロック図。
【図２】本発明の実施形態における背景画像の登録処理を示すフローチャート。
【図３】本発明の実施形態における画像表示処理を示すフローチャート。
【図４】本発明の実施形態によるモーフィングを行う場合の処理を示すフローチャート。
【図５】本発明の実施形態における電子メールソフトと背景画像の表示画面例を示す説明図。
【図６】図５の表示画面から、メニュー表示へ切り替えた直後の表示画面例を示す説明図。
【図７】図６の表示画面に続く背景画像のモーフィング処理の途中を示す説明図。
【図８】図７の表示画面に続く背景画像のモーフィング処理の途中を示す説明図。
【図９】図８の表示画面に続く背景画像の切り替えの完了を示す説明図。
【符号の説明】
【００３９】
１…イルミ検出部
２…外部データ取得装置
３…メインＣＰＵ及びその周辺回路
４…ＨＤＤ制御部
５…ＳＤＲＡＭ
６…ディスプレイ
７…入力部
８…ＶＲＡＭ
３１…アプリケーション識別部
３２…画像取得部
３３…画像生成部
３４…設定記憶部
３５…背景画像切替部
３６…モーフィング処理部
【図１】
2005128793.tif 000003
【図２】
2005128793.tif 000004
【図３】
2005128793.tif 000005
【図４】
2005128793.tif 000006
【図５】
2005128793.tif 000007
【図６】
2005128793.tif 000008
【図７】
2005128793.tif 000009
【図８】
2005128793.tif 000010
【図９】
2005128793.tif 000011